(57)【要約】【課題】簡素な構成を有しつつ、カバー部材の伸縮に起因する圧縮力及び引張力の発生を抑制できる照明器具を提供する。【解決手段】照明器具１は、発光モジュール７と、第１ベース部材１３と、カバー部材３と、第１閉塞部材５とを備える。発光モジュール７は、光を出射する。第１ベース部材１３には、発光モジュール７が取り付けられる。カバー部材３は、発光モジュール７を覆う。第１閉塞部材５は、カバー部材３の長手方向の端部に固着され、カバー部材３の長手方向の開放端４を閉塞する。第１ベース部材１３とカバー部材３との間に遊びを有する。第１ベース部材１３の長手方向の端部は、第１閉塞部材５に対向するとともに、カバー部材１３の長手方向の伸縮に依存することなく第１閉塞部材５から離間している。【選択図】図６
2018147712.tif 000002
【特許請求の範囲】
【請求項１】
光を出射する発光部と、
前記発光部が取り付けられる第１ベース部材と、
前記発光部を覆うカバー部材と、
前記カバー部材の長手方向の端部に固着され、前記カバー部材の前記長手方向の開放端を閉塞する閉塞部材と
を備え、
前記第１ベース部材と前記カバー部材との間に遊びを有し、
前記第１ベース部材の長手方向の端部は、前記閉塞部材に対向するとともに、前記カバー部材の前記長手方向の伸縮に依存することなく前記閉塞部材から離間している、照明器具。
【請求項２】
前記閉塞部材と前記第１ベース部材の前記端部との間に介在する弾性部材をさらに備え、
前記第１ベース部材の前記端部は、前記弾性部材を介して前記閉塞部材に対向する、請求項１に記載の照明器具。
【請求項３】
前記弾性部材は、前記閉塞部材の側から前記第１ベース部材の側まで貫通する貫通孔を有する、請求項２に記載の照明器具。
【請求項４】
前記第１ベース部材に取り付けられる第２ベース部材をさらに備え、
前記カバー部材は、一対の前記開放端のうちの一方の開放端から他方の開放端まで延びる開口を有し、
前記カバー部材は、
光を通過させる本体部と、
前記開口を挟む一対の縁部と
を含み、
前記第１ベース部材は、前記カバー部材の内部に位置し、
前記第２ベース部材は、前記カバー部材の外部に位置し、
前記第１ベース部材と前記第２ベース部材とは、前記一対の縁部を挟む、請求項１から請求項３のいずれか１項に記載の照明器具。
【請求項５】
筐体を含むユニットをさらに備え、
前記筐体は、前記カバー部材の外部に位置しており、前記一対の縁部に当接し、
前記第２ベース部材は、前記筐体の内部に位置し、
前記第２ベース部材の長手方向の長さは、前記第１ベース部材の前記長手方向の長さよりも短い、請求項４に記載の照明器具。
【発明の詳細な説明】
【技術分野】
【０００１】
本発明は、照明器具に関する。
【背景技術】
【０００２】
特許文献１に記載された照明器具は、フレームと、光源モジュールと、エンドキャップと、エンドカバーと、拡散カバー（カバー部材）とを備える。拡散カバーは、フレームを覆い、フレームの長手方向に摺動自在にフレームに設置される。フレームには光源モジュールが設置される。フレームの端部には、エンドキャップが設置される。エンドカバーは、フレームの長手方向に摺動自在に、エンドキャップに取り付けられるとともに、拡散カバーの端部に設置される。
【０００３】
エンドキャップにはキャップ突起が形成される。エンドカバーには、キャップ突起が侵入自在なエンドカバー設置孔が形成される。キャップ突起がエンドカバー設置孔に侵入した際、キャップ突起とエンドカバー設置孔との間に、フレームの長手方向のクリアランスが形成される。
【０００４】
従って、拡散カバーが、拡散カバーの長手方向に伸びたとしても、部材間（特に、フレームと拡散カバーとの間）に長手方向の圧縮力及び引張力が作用することがない。その結果、部材の「変形（反り等）」又は「きしみ音」の発生が抑制される。
【先行技術文献】
【特許文献】
【０００５】
【特許文献１】特開２０１５−２１６１号公報
【発明の概要】
【発明が解決しようとする課題】
【０００６】
しかしながら、特許文献１に記載された照明器具では、クリアランスを形成するために、エンドキャップにはキャップ突起を形成するとともに、エンドカバーにはエンドカバー設置孔を形成している。従って、クリアランスを形成するための構成が複雑になる。
【０００７】
本発明は上記課題に鑑みてなされたものであり、その目的は、簡素な構成を有しつつ、カバー部材の伸縮に起因する圧縮力及び引張力の発生を抑制できる照明器具を提供することにある。
【課題を解決するための手段】
【０００８】
本願に開示する照明器具は、発光部と、第１ベース部材と、カバー部材と、閉塞部材とを備える。発光部は、光を出射する。第１ベース部材には、前記発光部が取り付けられる。カバー部材は、前記発光部を覆う。閉塞部材は、前記カバー部材の長手方向の端部に固着され、前記カバー部材の前記長手方向の開放端を閉塞する。前記第１ベース部材と前記カバー部材との間に遊びを有する。前記第１ベース部材の長手方向の端部は、前記閉塞部材に対向するとともに、前記カバー部材の前記長手方向の伸縮に依存することなく前記閉塞部材から離間している。
【０００９】
本願に開示する照明器具は、弾性部材をさらに備えることが好ましい。弾性部材は、前記閉塞部材と前記第１ベース部材の前記端部との間に介在することが好ましい。前記第１ベース部材の前記端部は、前記弾性部材を介して前記閉塞部材に対向することが好ましい。
【００１０】
本願に開示する照明器具において、前記弾性部材は、前記閉塞部材の側から前記第１ベース部材の側まで貫通する貫通孔を有することが好ましい。
【００１１】
本願に開示する照明器具は、第２ベース部材をさらに備えることが好ましい。第２ベース部材は、前記第１ベース部材に取り付けられることが好ましい。前記カバー部材は、一対の前記開放端のうちの一方の開放端から他方の開放端まで延びる開口を有することが好ましい。前記カバー部材は、光を通過させる本体部と、前記開口を挟む一対の縁部とを含むことが好ましい。前記第１ベース部材は、前記カバー部材の内部に位置し、前記第２ベース部材は、前記カバー部材の外部に位置することが好ましい。前記第１ベース部材と前記第２ベース部材とは、前記一対の縁部を挟むことが好ましい。
【００１２】
本願に開示する照明器具は、筐体を含むユニットをさらに備えることが好ましい。前記筐体は、前記カバー部材の外部に位置しており、前記一対の縁部に当接することが好ましい。前記第２ベース部材は、前記筐体の内部に位置することが好ましい。前記第２ベース部材の長手方向の長さは、前記第１ベース部材の前記長手方向の長さよりも短いことが好ましい。
【発明の効果】
【００１３】
本発明によれば、簡素な構成を有しつつ、カバー部材の伸縮に起因する圧縮力及び引張力の発生を抑制できる。
【図面の簡単な説明】
【００１４】
【図１】本発明の実施形態に係る照明器具を示す斜視図である。
【図２】実施形態に係る照明器具を示す分解斜視図である。
【図３】実施形態に係る第１ベース部材、弾性部材、及び第２ベース部材を示す斜視図である。
【図４】実施形態に係るカバー部材を示す斜視図である。
【図５】実施形態に係る閉塞部材を取り外した照明器具を示す斜視図である。
【図６】実施形態に係る照明器具の一部を示す縦断面図である。
【図７】実施形態に係る照明器具を示す横断面図である。
【図８】実施形態に係る第１ベース部材と第２ベース部材とカバー部材との一部を示す拡大断面図である。
【図９】（ａ）（ｂ）は、実施形態の変形例に係る弾性部材を示す斜視図である。
【発明を実施するための形態】
【００１５】
以下、本発明の実施形態について、図面を参照しながら説明する。なお、図中、同一または相当部分については同一の参照符号を付して説明を繰り返さない。
【００１６】
図１は、本発明の実施形態に係る照明器具１を示す斜視図である。図１に示すように、照明器具１は光を出射する。照明器具１は一定方向ＰＤ（以下、「方向ＰＤ」と記載する。）に沿って延びている。具体的には、照明器具１は、第１ユニットＵ１と、第２ユニットＵ２とを備える。第１ユニットＵ１は、光を出射し、光源ユニットとして機能する。第１ユニットＵ１は第２ユニットＵ２に取り付けられる。第１ユニットＵ１は方向ＰＤに沿って延びている。
【００１７】
第２ユニットＵ２は方向ＰＤに沿って延びている。第２ユニットＵ２は、例えば、建造物のような構造物における取付部に取り付けられる。取付部は、例えば、建造物における部屋の天井面である。
【００１８】
図２は、照明器具１を示す分解斜視図である。図２に示すように、第１ユニットＵ１は、カバー部材３と、少なくとも１つの第１閉塞部材５（閉塞部材）と、発光モジュール７（発光部）と、第１ベース部材１３と、複数の取付部材１９とを含む。本実施形態では、第１ユニットＵ１は、一対の第１閉塞部材５を含む。第１ユニットＵ１は、少なくとも１つ弾性部材１５（本実施形態では一対の弾性部材１５）と、第２ベース部材１７とを含むことが好ましい。
【００１９】
カバー部材３は、方向ＰＤに沿って延びており、発光モジュール７を覆う。カバー部材３の内部は空洞であり、カバー部材３は、一対の弾性部材１５、発光モジュール７、及び第１ベース部材１３を収容する。カバー部材３は、例えば、合成樹脂製である。カバー部材３は、例えば、発光モジュール７が出射した光を拡散する。カバー部材３は、例えば、白色半透明であってもよい。カバー部材３は、例えば、光拡散材料を含有した樹脂を成形することによって形成してもよいし、透明材料で成形した後に表面に光拡散処理を施して形成してもよい。カバー部材３は、例えば、断面視略Ｕ字形状を有する。
【００２０】
一対の第１閉塞部材５は、それぞれ、カバー部材３の長手方向の一対の端部に固着される。例えば、第１閉塞部材５は、接着剤によって、カバー部材３の長手方向の端部に接合される。そして、一対の第１閉塞部材５は、それぞれ、カバー部材３の長手方向の一対の開放端４を閉塞する。第１閉塞部材５の各々は、例えば、略平板状であり、平面視略矩形形状を有する。カバー部材３の長手方向は、方向ＰＤに平行である。
【００２１】
発光モジュール７は、方向ＰＤに沿って延びており、光を出射する。発光モジュール７は、例えば、ＬＥＤ（Ｌｉｇｈｔ  Ｅｍｉｔｔｉｎｇ  Ｄｉｏｄｅ）モジュールである。具体的には、発光モジュール７は、基板９と、複数の発光素子１１とを含む。基板９は、実装面Ａ１と、実装面Ａ１に対向する対向面Ａ２とを有し、方向ＰＤに沿って延びている。複数の発光素子１１は基板９の実装面Ａ１に実装される。複数の発光素子１１は、例えば、一直線上に配列される。発光素子１１の各々は、発光し、例えば、ＬＥＤである。複数の発光素子１１は、カバー部材３の内面に対向し、カバー部材３の内面に向かって光を出射する。その結果、光は、カバー部材３を通して、照明器具１の外部に出射する。なお、単数の発光素子１１を設けてもよい。
【００２２】
第１ベース部材１３は、略長尺状であり、方向ＰＤに沿って延びている。第１ベース部材１３は、例えば、金属製（例えば、アルミニウム製）である。第１ベース部材１３には、発光モジュール７が取り付けられる。具体的には、第１ベース部材１３は、略平坦な第１面部Ｂ１と、第１面部Ｂ１に対向する第２面部Ｂ２とを有する。そして、第１面部Ｂ１と基板９の対向面Ａ２とが対向するように、発光モジュール７が第１ベース部材１３に取り付けられる。
【００２３】
例えば、第１ベース部材１３の熱膨張率とカバー部材３の熱膨張率とは異なる。例えば、カバー部材３の熱膨張率は第１ベース部材１３の熱膨張率より大きい。
【００２４】
一対の弾性部材１５は、それぞれ、第１ベース部材１３の長手方向の一対の端部に装着される。弾性部材１５の各々は、弾性又は可撓性を有する。弾性部材１５は、例えば、ゴム製である。ゴム製は、例えば、天然ゴム製、合成ゴム製、又は、シリコーンゴム製である。第１ベース部材１３の長手方向は、方向ＰＤに平行である。
【００２５】
第２ベース部材１７は、略長尺状であり、方向ＰＤに沿って延びている。第２ベース部材１７は、例えば、金属製（例えば、アルミニウム製）である。第２ベース部材１７の長手方向の長さＬＧ２は、第１ベース部材１３の長手方向の長さＬＧ１よりも短い。従って、第２ベース部材１７のコストを低減できる。第２ベース部材１７は、第１ベース部材１３に取り付けられる。具体的には、第２ベース部材１７は、第１面部Ｃ１と、第１面部Ｃ１に対向する第２面部Ｃ２とを有する。そして、第２ベース部材１７の第１面部Ｃ１と第１ベース部材１３の第２面部Ｂ２とが対向するように、第２ベース部材１７が第１ベース部材１３に取り付けられる。第２ベース部材１７の長手方向は、方向ＰＤに平行である。
【００２６】
例えば、第２ベース部材１７の熱膨張率とカバー部材３の熱膨張率とは異なる。例えば、カバー部材３の熱膨張率は第２ベース部材１７の熱膨張率より大きい。
【００２７】
複数の取付部材１９は、互いに間隔をあけて第２ベース部材１７に取り付けられる。具体的には、取付部材１９は、第２ベース部材１７の第２面部Ｃ２に取り付けられる。そして、複数の取付部材１９によって、第１ユニットＵ１が第２ユニットＵ２に取り付けられる。例えば、取付部材１９の各々は、弾性を有し、金属製（例えば、ステンレス製）である。そして、複数の取付部材１９を第２ユニットＵ２の内部に嵌め込むと、複数の取付部材１９の弾性によって、第１ユニットＵ１が第２ユニットＵ２に取り付けられる。
【００２８】
第２ユニットＵ２は、筐体２１と、一対の第２閉塞部材２３と、電源部２５とを含む。筐体２１は、方向ＰＤに沿って延びており、断面視略Ｕ字形状を有する。筐体２１は、例えば、金属製である。筐体２１は電源部２５を収容する。電源部２５は、電源線（不図示）を介して発光モジュール７に電力を供給する。一対の第２閉塞部材２３は、それぞれ、筐体２１の長手方向の一対の端部に固着される。そして、一対の第２閉塞部材２３は、それぞれ、筐体２１の長手方向の一対の開放端２４を閉塞する。第２閉塞部材２３の各々は、例えば、略平板状であり、平面視略矩形形状を有する。筐体２１の長手方向は、方向ＰＤに平行である。
【００２９】
次に、図３を参照して、第１ベース部材１３、弾性部材１５、及び第２ベース部材１７について説明する。図３は、第１ベース部材１３、弾性部材１５、及び第２ベース部材１７を示す斜視図である。図３に示すように、第２ベース部材１７が第１ベース部材１３の長手方向に第１ベース部材１３から突き出ないように、第２ベース部材１７は、第１ベース部材１３に取り付けられる。
【００３０】
第１ベース部材１３は、本体部４１と、一対の外壁部４３と、一対の第１内壁部４５と、一対の第２内壁部４７と、一対の係合凹部３４と、一対の第１溝３５Ａと、第２溝３５Ｂとを含む。本体部４１と外壁部４３と第１内壁部４５と第２内壁部４７と係合凹部３４と第１溝３５Ａと第２溝３５Ｂとの各々は、方向ＰＤに沿って延びている。
【００３１】
第１ベース部材１３の本体部４１は略平板状である。外壁部４３と第１内壁部４５と第２内壁部４７との各々は、本体部４１に対して略直角になるように、本体部４１に立設される。外壁部４３と第１内壁部４５との各々は、断面視略直線状である。第２内壁部４７は、断面視略Ｌ字状である。一対の第２内壁部４７は、互いに近づくように略直角に屈曲している。一対の第１内壁部４５と一対の第２内壁部４７とは、一対の外壁部４３の間に位置する。一対の第２内壁部４７は、一対の第１内壁部４５の間に位置する。
【００３２】
係合凹部３４の各々は、略溝形状を有し、外壁部４３と本体部４１と第１内壁部４５とで形成される。第１溝３５Ａの各々は、第１内壁部４５と本体部４１と第２内壁部４７とで形成される。第２溝３５Ｂは、一対の第２内壁部４７と本体部４１とで形成される。第２溝３５Ｂは、一対の第１溝３５Ａの間に位置する。第２溝３５Ｂと一対の第１溝３５Ａとは、一対の係合凹部３４の間に位置する。
【００３３】
弾性部材１５は、本体部３１と、第１凸部３３Ａと、第２凸部３３Ｂとを含む。本体部３１と第１凸部３３Ａと第２凸部３３Ｂとの各々は、略直方体状である。第１凸部３３Ａは、一対の第１溝３５Ａのうちの一方の第１溝３５Ａに対応して設けられる。第１凸部３３Ａは、本体部３１に対して略直角になるように、本体部３１から突出している。第２凸部３３Ｂは、第２溝３５Ｂに対応して設けられる。第２凸部３３Ｂは、本体部３１に対して略直角になるように、本体部３１から突出している。
【００３４】
第１凸部３３Ａが、対応する第１溝３５Ａに挿入されるとともに、第２凸部３３Ｂが、第２溝３５Ｂに挿入される。そして、本体部３１が第１ベース部材１３の長手方向の端部に当接する。その結果、弾性部材１５が第１ベース部材１３に装着される。
【００３５】
第２ベース部材１７は、本体部５１と、一対の側縁部５３と、一対の壁部５５と、一対の隆起部５７とを含む。本体部５１と側縁部５３と壁部５５と隆起部５７との各々は、方向ＰＤに沿って延びている。
【００３６】
第２ベース部材１７の本体部５１は略平板状である。一対の側縁部５３は、本体部５１を挟むように設けられ、略平板状である。壁部５５は、本体部５１に対して略直角になるように、本体部５１に立設される。隆起部５７の各々は、本体部５１から隆起している。隆起部５７と壁部５５との各々は、断面視略直線状である。一対の壁部５５は、一対の隆起部５７の間に位置する。
【００３７】
第２ベース部材１７の一対の壁部５５が第１ベース部材１３の一対の第２内壁部４７を挟むように、かつ、第２ベース部材１７の一対の隆起部５７がそれぞれ第１ベース部材１３の一対の第１溝３５Ａに嵌まるように、第２ベース部材１７が第１ベース部材１３に取り付けられる。
【００３８】
図３では、図面の簡略化のため、カバー部材３（図２）を省略しているが、第１ベース部材１３と第２ベース部材１７とは、カバー部材３を挟んでいる。
【００３９】
次に、図４を参照して、カバー部材３について説明する。図４は、カバー部材３を示す斜視図である。図４に示すように、カバー部材３は、略矩形状の開口６４を有する。開口６４は方向ＰＤに沿って延びている。具体的には、開口６４は、一対の開放端４のうちの一方の開放端４から他方の開放端４まで延びる。
【００４０】
カバー部材３は、本体部５９と、一対の縁部６１と、一対の係合凸部６３とを含む。本体部５９は、断面視略Ｕ字形状を有し、光を通過させる。一対の縁部６１は、互いに対向するように開口６４を挟み、開口６４に沿って方向ＰＤに延びている。縁部６１の各々は、略平板状である。一対の係合凸部６３は、それぞれ、一対の縁部６１に形成される。一対の係合凸部６３は、互いに対向するように開口６４を挟み、開口６４に沿って方向ＰＤに延びている。係合凸部６３は、縁部６１に対して突出している。具体的には、係合凸部６３は、縁部６１に対して略直角になるように、縁部６１から本体部５９の内部に向かって屈曲している。
【００４１】
次に、図５を参照して、カバー部材３に収容された第１ベース部材１３と発光モジュール７と弾性部材１５とについて説明する。図５は、第１閉塞部材５を取り外した照明器具１を示す斜視図である。図５に示すように、カバー部材３は、第１ベース部材１３、発光モジュール７、及び弾性部材１５を収容する。弾性部材１５が、第１ベース部材１３の長手方向の端部に装着される。
【００４２】
また、第１ユニットＵ１は、第１ベース部材１３とカバー部材３との間に遊びを有する。つまり、第１ベース部材１３とカバー部材３との間に遊びを有するように、カバー部材３が第１ベース部材１３に係合する。具体的には、第１ベース部材１３とカバー部材３との間に遊びを有するように、カバー部材３の一対の係合凸部６３は、それぞれ、第１ベース部材１３の一対の係合凹部３４に係合する。つまり、一対の係合凸部６３は、それぞれ、一対の係合凹部３４に遊挿される。第１ベース部材１３とカバー部材３との間の遊びとは、第１ベース部材１３とカバー部材３との間の余裕のことである。「余裕」は、例えば、第１ベース部材１３とカバー部材３との間の隙間、又は、第１ベース部材１３に対してカバー部材３が摺動し得る状態での第１ベース部材１３とカバー部材３との接触を示す。「摺動」は、例えば、カバー部材３の伸縮に基づく、第１ベース部材１３に対するカバー部材３の摺動を示す。
【００４３】
遊びを設けることによって、カバー部材３がカバー部材３の長手方向に伸縮した場合でも、カバー部材３に対して、カバー部材３の長手方向の圧縮力及び引張力が作用することを抑制できるとともに、第１ベース部材１３に対して、第１ベース部材１３の長手方向の圧縮力及び引張力が作用することを抑制できる。加えて、第１閉塞部材５がカバー部材３の長手方向の端部に固着されているため、カバー部材３を取り付けるための専用部材を用意することが要求されない。
【００４４】
従って、本実施形態によれば、簡素な構成を有しつつ、カバー部材３の伸縮に起因する圧縮力及び引張力の発生を抑制できる。その結果、簡素な構成を有しつつも、カバー部材３及び／又は第１ベース部材１３の変形（例えば、反り）を抑制できたり、きしみ音を抑制できたりする。
【００４５】
なお、例えば、照明器具１の周囲環境の温度変化又は発光モジュール７の熱によってカバー部材３の材質が膨張又は収縮し、カバー部材３が伸縮し得る。例えば、カバー部材３には、カバー部材３の長手方向に±２ｍｍの伸縮が発生し得る。
【００４６】
以下、カバー部材３の「端部」は、カバー部材３の「長手方向の端部」を示し、第１ベース部材１３の「端部」は、第１ベース部材１３の「長手方向の端部」を示す。
【００４７】
次に、図６を参照して、照明器具１の縦断面について説明する。図６は、照明器具１の一部を示す縦断面図である。図６では、図１に示す領域Ａを、方向ＰＤに平行な面で切断したときの縦断面が示される。図６に示すように、第１ベース部材１３の端部は、第１閉塞部材５に対向する。また、第１ベース部材１３の端部は、カバー部材３の長手方向の伸縮に依存することなく第１閉塞部材５から離間している。
【００４８】
従って、本実施形態によれば、カバー部材３がカバー部材３の長手方向に収縮した場合でも、第１ベース部材１３が第１閉塞部材５に接触することを抑制できる。その結果、第１閉塞部材５と第１ベース部材１３との間で力が直接作用することを抑制できて、第１閉塞部材５及び／又は第１ベース部材１３の変形を抑制できたり、きしみ音を抑制できたりする。
【００４９】
具体的には、第１ベース部材１３の端部と第１閉塞部材５とは、距離Ｌだけ離間している。ただし、カバー部材３の長手方向の伸縮に応じて、距離Ｌは変動する。
【００５０】
特に、本実施形態では、弾性部材１５が、第１閉塞部材５と第１ベース部材１３の端部との間に介在する。従って、弾性部材１５によって、第１閉塞部材５と第１ベース部材１３の端部との間に距離Ｌが設定される。また、第１ベース部材１３の端部は、弾性部材１５を介して第１閉塞部材５に対向する。
【００５１】
また、弾性部材１５が、第１ベース部材１３の端部と第１閉塞部材５との間の空間を閉塞している。従って、本実施形態によれば、第１ベース部材１３の端部と第１閉塞部材５との間から、虫又は粉塵（以下、「虫等」と記載する。）がカバー部材３の内部に侵入することを抑制できる。
【００５２】
特に、弾性部材１５は弾性を有するため、カバー部材３がカバー部材３の長手方向に伸長した場合でも、第１ベース部材１３の端部と第１閉塞部材５との間の空間が閉塞される。従って、本実施形態によれば、虫等がカバー部材３の内部に侵入することを更に抑制できる。さらに、第１ベース部材１３によっても、開口６４（図４）が閉塞されるため、開口６４からの虫等の侵入が更に抑制される。
【００５３】
また、カバー部材３がカバー部材３の長手方向に伸縮した場合でも、伸縮に基づく力が弾性部材１５の弾性によって吸収される。その結果、本実施形態によれば、第１閉塞部材５及び／又は第１ベース部材１３の変形を抑制できたり、きしみ音を抑制できたりする。
【００５４】
さらに、弾性部材１５及び第１ベース部材１３は、カバー部材３の内部に位置している。従って、カバー部材３の長手方向の伸縮に関係なく、弾性部材１５及び第１ベース部材１３が第２ユニットＵ２に干渉することを抑制できる。その結果、本実施形態によれば、第２ユニットＵ２への第１ユニットＵ１の取付状態を良好にできる。第１ユニットＵ１の取付状態が良好であると、照明器具１の美観を向上できる。なお、「干渉」は、部材（部分）同士が、本来接触すべきでない場合に接触することを意味する。
【００５５】
さらに、第１ベース部材１３がカバー部材３の内部に位置しているため、第１ベース部材１３の端部を保持するための保持部材を、カバー部材３の外部に設置することが要求されない。従って、カバー部材３の長手方向の伸縮が発生した場合でも、特定の部材が第２ユニットＵ２に干渉することを抑制できる。その結果、本実施形態によれば、第２ユニットＵ２への第１ユニットＵ１の取付状態を更に良好にでき、照明器具１の美観を更に向上できる。なお、本実施形態では、第１ベース部材１３の端部を保持するための保持部材を有していない。
【００５６】
引き続き、図６を参照して、第１比較例及び第２比較例と比較しつつ、本実施形態について説明する。
【００５７】
第１比較例に係る照明器具は、第１ユニットＵ１に対応する第１ユニットと、第２ユニットＵ２に対応する第２ユニットとを備える。第１ユニットは、カバー部材３に対応するカバー部材と、第１ベース部材１３に対応するベース部材と、第１閉塞部材５に対応する第１エンドキャップとを含む。第２ユニットは、第２閉塞部材２３に対応する第２エンドキャップを含む。
【００５８】
ベース部材はカバー部材の外部に位置する。エンドキャップには保持部材が形成される。保持部材は、ベース部材の長手方向の端部を保持する。ベース部材がカバー部材の外部に位置するため、保持部材は、エンドキャップから突出して形成される。
【００５９】
カバー部材の長手方向の伸縮に起因してエンドキャップの位置が変化すると、保持部材の位置が変化する。その結果、保持部材が第２ユニット（例えば、第２エンドキャップ）と干渉し得る。なぜなら、保持部材が、エンドキャップに形成されるとともに、エンドキャップから突出しているからである。
【００６０】
第１比較例と比較すると、本実施形態では、第１ベース部材１３がカバー部材３の内部に位置しているため、第１比較例のような保持部材をカバー部材の外部に設置することが要求されないし、そもそも、第１比較例のような保持部材に相当する部材を有していない。従って、カバー部材３の長手方向の伸縮が発生した場合でも、特定の部材が第２ユニットＵ２に干渉することを抑制できる。その結果、本実施形態によれば、第２ユニットＵ２への第１ユニットＵ１の取付状態を更に良好にでき、照明器具１の美観を更に向上できる。
【００６１】
第２比較例に係る照明器具は、カバー部材３に対応するカバー部材と、一対の第１閉塞部材５に対応する一対のエンドキャップとを備える。一対のエンドキャップ間の距離は一定であり、カバー部材の伸縮に依存しない。エンドキャップの各々は進入部を有する。進入部は、カバー部材の長手方向の端部から、カバー部材の内部に進入する。カバー部材は進入部に対して摺動可能である。
【００６２】
そして、カバー部材の端部では、エンドキャップの進入部とカバー部材とが重なる。その結果、カバー部材の端部では、光が通過し難くなり、カバー部材の他の部分よりも暗くなり得る。つまり、カバー部材の端部が、他の部分と比較して暗領域になる。
【００６３】
さらに、進入部は、カバー部材の長手方向の収縮が発生した場合でも、カバー部材の開放端の露出の抑制と、カバー部材の内部への虫等の侵入の抑制とを実現するために、比較的大きな所定長を有する。従って、カバー部材の端部の暗領域が比較的大きくなる。その結果、照明器具の照明時の美観が低下する。特に、複数の照明器具を直線状に連結する場合には、隣り合う照明器具の間で暗領域が目立ってしまう。
【００６４】
さらに、カバー部材が過剰に収縮した場合には、進入部がカバー部材３から外れ、カバー部材の開放端が露出する。その結果、カバー部材の内部に、虫等が侵入し得る。
【００６５】
第２比較例と比較すると、本実施形態では、第１閉塞部材５をカバー部材３の端部に固着することによって、開放端４の露出の抑制と虫等の侵入の抑制とを実現している。従って、第２比較例のような比較的長い進入部を設けることが要求されず、カバー部材３の端部の暗領域を小さくできる。その結果、照明器具１の照明時の美観の低下を抑制できる。また、暗領域を小さくできるため、複数の照明器具１を直線状に連結した場合でも、隣り合う照明器具１の間で暗領域が目立つことを抑制できる。
【００６６】
次に、図７を参照して、照明器具１の横断面について説明する。図７は、照明器具１を示す横断面図である。図７では、図１に示すＶＩＩ−ＶＩＩ線に沿った照明器具１の横断面が示される。図７に示すように、第１ユニットＵ１の第１ベース部材１３は、カバー部材３の内部に位置する。そして、第１ベース部材１３とカバー部材３との間に遊びを有するように、第１ベース部材１３の一対の第１内壁部４５と一対の第２内壁部４７とが開口６４（図４）に挿入される。
【００６７】
一方、第１ユニットＵ１の第２ベース部材１７は、カバー部材３の外部に位置する。つまり、第２ベース部材１７（具体的には本体部５１）は、第２ユニットＵ２の筐体２１の内部に位置する。そして、第２ベース部材１７とカバー部材３との間に遊びを有するように、一対の隆起部５７と一対の壁部５５とが開口６４（図４）に挿入される。つまり、第１ユニットＵ１は、第２ベース部材１７とカバー部材３との間に遊びを有する。第２ベース部材１７（具体的には本体部５１）は、第２ユニットＵ２の筐体２１の内部に位置する。第２ベース部材１７とカバー部材３との間の遊びとは、第２ベース部材１７とカバー部材３との間の余裕のことである。「余裕」は、例えば、第２ベース部材１７とカバー部材３との間の隙間、又は、第２ベース部材１７に対してカバー部材３が摺動し得る状態での第２ベース部材１７とカバー部材３との接触を示す。「摺動」は、例えば、カバー部材３の伸縮に基づく、第２ベース部材１７に対するカバー部材３の摺動を示す。
【００６８】
第１ベース部材１３と第２ベース部材１７とは、カバー部材３の一対の縁部６１を挟む。第２ベース部材１７の一対の側縁部５３がそれぞれ一対の縁部６１に接触する。また、第１ユニットＵ１は取付部材ＢＮを含む。そして、第１ベース部材１３とカバー部材３との間に遊びを有するように、かつ、第２ベース部材１７とカバー部材３との間に遊びを有するように、第１ベース部材１３が、取付部材ＢＮによって第２ベース部材１７に取り付けられる。取付部材ＢＮは、例えば、ボルトとナットである。
【００６９】
引き続き、図７を参照して、第２ユニットＵ２に取り付けられた第１ユニットＵ１について説明する。第２ユニットＵ２の筐体２１は、第１ユニットＵ１のカバー部材３の外部に位置しており、カバー部材３の一対の縁部６１に当接する。具体的には、筐体２１は、天壁部６７と、互いに対向する一対の側壁部６５とを含む。そして、一対の側壁部６５の端部が、それぞれ、一対の縁部６１に当接する。
【００７０】
また、第１ユニットＵ１の取付部材１９は一対の弾性部１９ａを有する。弾性部１９ａの各々は、断面視略円弧状に湾曲しており、弾性を有する。そして、一対の弾性部１９ａは、第２ユニットＵ２の筐体２１の内部に嵌まる。従って、一対の弾性部１９ａは、それぞれ、筐体２１の一対の内壁面６５ａに当接する。そして、一対の弾性部１９ａは弾性を有するため、弾性部１９ａから内壁面６５ａに向かって付勢力が作用する。その結果、第１ユニットＵ１が、第２ユニットＵ２に取り付けられる。
【００７１】
次に、図８を参照して、第１ベース部材１３とカバー部材３との間の遊びと、第２ベース部材１７とカバー部材３との間の遊びとを説明する。図８は、第１ベース部材１３と第２ベース部材１７とカバー部材３との一部を示す拡大断面図である。図８では、図７に示す横断面の第１ベース部材１３と第２ベース部材１７とカバー部材３との一部を示している。
【００７２】
図８に示すように、第１ベース部材１３とカバー部材３との間には隙間Ｇが形成される。つまり、係合凸部６３と係合凹部３４との間に隙間Ｇが形成される。その結果、第１ベース部材１３とカバー部材３との間に遊びが形成される。
【００７３】
具体的には、第１内壁部４５の先端と第２内壁部４７の先端とが、第２ベース部材１７の本体部５１に当接する。本実施形態では、第１内壁部４５の基端から先端までの長さＬａと、第２内壁部４７の基端から先端までの長さＬａとが略同一である。そして、係合凸部６３の基端から先端までの長さＬｂは、長さＬａよりも短い。その結果、隙間Ｇが形成されて、第１ベース部材１３とカバー部材３との間に遊びが形成される。
【００７４】
第１内壁部４５と第２内壁部４７とは、第１ベース部材１３と第２ベース部材１７との間のスペーサーであり、遊びを形成するためのスペーサーとして機能している。
【００７５】
なお、「遊び」は、隙間Ｇによって形成されなくてもよい。例えば、係合凸部６３と係合凹部３４とが接触している場合であっても、係合凸部６３を係合凹部３４に緩挿することによって、第１ベース部材１３とカバー部材３との間に遊びを形成することができる。
【００７６】
また、第１内壁部４５及び第２内壁部４７がスペーサーとして機能しているため、第２ベース部材１７の側縁部５３がカバー部材３の縁部６１に押圧されることなく、側縁部５３が縁部６１に接触している。その結果、第２ベース部材１７とカバー部材３との間に遊びが形成される。なお、側縁部５３と縁部６１との間に隙間を形成することによって、第２ベース部材１７とカバー部材３との間に遊びを形成してもよい。また、第２ベース部材１７の壁部５５を、遊びを形成するためのスペーサーとして機能させてもよい。
【００７７】
以上、図７及び図８を参照して説明したように、本実施形態によれば、カバー部材３の内部の第１ベース部材１３とカバー部材３の外部の第２ベース部材１７とで、カバー部材３の一対の縁部６１を挟むことによって、遊びを容易に形成できる。遊びは、カバー部材３と第１ベース部材１３との間の遊び、及び、カバー部材３と第２ベース部材１７との間の遊びを示す。
【００７８】
また、図７を参照して説明したように、本実施形態によれば、第２ベース部材１７が第２ユニットＵ２の筐体２１の内部に位置する場合であっても、第２ベース部材１７が第２ユニットＵ２（例えば、第２閉塞部材２３）に干渉することを抑制できる。なぜなら、図２を参照して説明したように、第２ベース部材１７の長さＬｂが第１ベース部材１３の長さＬａよりも短いからである。
【００７９】
（変形例）
図６、図９（ａ）、及び図９（ｂ）を参照して、本実施形態の変形例に係る照明器具１について説明する。変形例に係る照明器具１は、図３を参照して説明した一対の弾性部材１５に代えて、一対の弾性部材１５Ａを備える。弾性部材１５Ａは、貫通孔を有する点で、弾性部材１５と主に異なる。変形例に係る照明器具１のその他の構成は、図１〜図８を参照して説明した照明器具１の構成と同様である。以下、変形例が本実施形態と異なる点を主に説明する。
【００８０】
図９（ａ）及び図９（ｂ）は、実施形態の変形例に係る弾性部材１５Ａを示す斜視図である。図９（ａ）及び図９（ｂ）に示すように、弾性部材１５Ａは、２つの第１貫通孔８１（貫通孔）と、２つの第１開放路８３と、２つの第２貫通孔８５と、２つの第２開放路８７と、凹部８９とを有する。
【００８１】
図６、図９（ａ）、及び図９（ｂ）に示すように、第１貫通孔８１は、第１閉塞部材５の側から第１ベース部材１３の側まで貫通している。具体的には、第１貫通孔８１は、第１凸部３３Ａの突出している方向に沿って、第１凸部３３Ａを貫通している。そして、第１貫通孔８１は、凹部８９から第１ベース部材１３の第２溝３５Ｂに連通している。凹部８９は、本体部３１に形成される。第１開放路８３は、第１貫通孔８１に連通し、第１凸部３３Ａの外部に向かって第１貫通孔８１を開放している。
【００８２】
また、第２貫通孔８５は、カバー部材３の内部から凹部８９まで貫通している。第２開放路８７は、第２貫通孔８５に連通し、本体部３１の外部に向かって第２貫通孔８５を開放している。
【００８３】
以上、図６、図９（ａ）、及び図９（ｂ）を参照して説明したように、変形例によれば、弾性部材１５Ａは第１貫通孔８１を有している。従って、第１貫通孔８１に配線（例えば、電源線又は信号線）を通過させることができる。その結果、必要に応じて第１貫通孔８１を利用することによって、配線作業の負担を軽減できる。また、第１開放路８３を有しているため、第１貫通孔８１に配線を容易に配置できる。さらに、第２貫通孔８５に配線を通すこともできる。従って、必要に応じて第２貫通孔８５を利用することによって、配線作業の負担を更に軽減できる。また、第２開放路８７を有しているため、第２貫通孔８５に配線を容易に配置できる。
【００８４】
以上、図面を参照しながら本発明の実施形態（変形例を含む。）について説明した。但し、本発明は、上記の実施形態に限られるものではなく、その要旨を逸脱しない範囲で種々の態様において実施することが可能である（例えば、下記に示す（１）、（２））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００８５】
（１）図１〜図９を参照して説明した本実施形態及び変形例では、例えば、照明器具１が直接照明のために利用され、第１ユニットＵ１が床面側に配置され、第２ユニットＵ２が天井面側に配置された。ただし、第１ユニットＵ１及び第２ユニットＵ２の配置は特に限定されず、例えば、照明器具１が間接照明のために利用され、第１ユニットＵ１が天井面側に配置され、第２ユニットＵ２が床面側に配置されてもよい。
【００８６】
（２）図１〜図９を参照して説明した本実施形態及び変形例では、第１閉塞部材５、第１ベース部材１３、第２ベース部材１７、及び弾性部材１５（弾性部材１５Ａ）が、照明器具１の長手方向の両端部に採用されたが、照明器具１の長手方向の両端部のうち一方端部だけに採用されてもよい。
【産業上の利用可能性】
【００８７】
本発明は、照明器具を提供するものであり、産業上の利用可能性を有する。
【符号の説明】
【００８８】
１    照明器具
３    カバー部材
４    開放端
５    第１閉塞部材（閉塞部材）
７    発光モジュール（発光部）
１３    第１ベース部材
１５、１５Ａ    弾性部材
１７    第２ベース部材
２１  筐体
５９    本体部
６１    縁部
６４    開口
８１    第１貫通孔（貫通孔）
Ｕ１    第１ユニット
Ｕ２    第２ユニット（ユニット）
【図１】
2018147712.tif 000003
【図２】
2018147712.tif 000004
【図３】
2018147712.tif 000005
【図４】
2018147712.tif 000006
【図５】
2018147712.tif 000007
【図６】
2018147712.tif 000008
【図７】
2018147712.tif 000009
【図８】
2018147712.tif 000010
【図９】
2018147712.tif 000011